(57)【要約】【課題】受信装置と可撓性を有する測定装置との接続を安定した状態で維持することができる生体情報測定システム、測定装置および受信装置を提供すること。【解決手段】本発明の生体情報測定システムは、測定装置と、受信装置と、を備え、前記測定装置は、前記生体に関する前記情報を検出または測定する生体センサーと、前記生体センサーの外面に接触して設けられたゲルと、前記生体センサーが取得した前記情報を送信可能で、少なくとも一部が導電性を有する送信側ファスナー部と、を備え、前記受信装置は、前記送信側ファスナー部に対して着脱可能で、少なくとも一部が導電性を有する受信側ファスナー部と、前記受信側ファスナー部を介して取得した前記情報を受信する受信部と、前記受信部で受信した前記情報を処理する処理部と、を備える。【選択図】図２
2017176424.tif 000002
【特許請求の範囲】
【請求項１】
生体に関する情報を検出または測定する測定装置と、前記測定装置に対して着脱可能で、前記測定装置が取得した前記情報を受信する受信装置と、を備え、
前記測定装置は、
前記生体に関する前記情報を検出または測定する生体センサーと、
前記生体センサーの外面に接触して設けられたゲルと、
前記生体センサーが取得した前記情報を送信可能で、少なくとも一部が導電性を有する送信側ファスナー部と、を備え、
前記受信装置は、
前記送信側ファスナー部に対して着脱可能で、少なくとも一部が導電性を有する受信側ファスナー部と、
前記受信側ファスナー部を介して取得した前記情報を受信する受信部と、
前記受信部で受信した前記情報を処理する処理部と、を備えることを特徴とする生体情報測定システム。
【請求項２】
前記送信側ファスナー部は、前記ゲルの外面に設けられている請求項１に記載の生体情報測定システム。
【請求項３】
前記送信側ファスナー部は、送信側支持部と、前記送信側支持部に設けられた複数の送信側係合部位と、を有し、
前記受信側ファスナー部は、少なくとも１つの前記送信側係合部位と係合可能な複数の受信側係合部位を有する請求項１または２に記載の生体情報測定システム。
【請求項４】
前記送信側ファスナー部は、前記送信側係合部位として、絶縁性を有する送信側絶縁部位および導電性を有する送信側導電部位を有し、
前記受信側ファスナー部は、前記受信側係合部位として、絶縁性を有する受信側絶縁部位および導電性を有する受信側導電部位を有する請求項３に記載の生体情報測定システム。
【請求項５】
前記送信側ファスナー部は、形状の異なる２種以上の前記送信側係合部位を有し、
前記受信側ファスナー部は、形状の異なる２種以上の前記受信側係合部位を有する請求項３または４に記載の生体情報測定システム。
【請求項６】
生体に関する情報を検出または測定する生体センサーと、
前記生体センサーの外面に接触して設けられたゲルと、
受信装置に対して着脱可能で、前記生体センサーが取得した前記情報を送信可能であり、少なくとも一部が導電性を有する送信側ファスナー部と、を備えることを特徴とする測定装置。
【請求項７】
測定装置に対して着脱可能で、少なくとも一部が導電性を有する受信側ファスナー部と、
前記測定装置に接続されることで、前記受信側ファスナー部を介して取得した情報を受信する受信部と、
前記受信部で受信した前記情報を処理する処理部と、を備えることを特徴とする受信装置。
【発明の詳細な説明】
【技術分野】
【０００１】
本発明は、生体情報測定システム、測定装置および受信装置に関するものである。
【背景技術】
【０００２】
従来から、人間等の生体に関する情報を測定する生体センサーを備えたセンサー機器が知られている。
【０００３】
このようなセンサー機器として、例えば、特許文献１には、電気的センサーおよび音響センサーと、電気的センサーおよび音響センサーの各下面に設けられた導電性のゲル材料と、これらを覆う可撓性部材と、外部装置と接続するために用いられるコネクターと、を備えたセンサーアセンブリについて開示されている。この特許文献１に係るセンサーアセンブリは、導電性のゲル材料を人間の皮膚に直接当て、ゲル材料を介して電気的センサーおよび音響センサーによる測定を行う。そして、コネクターに接続されたケーブルを介して電気的センサーおよび音響センサーからの電気信号等を外部装置に伝達し、伝達された電気信号を基に生体に関する情報を取得している。
【先行技術文献】
【特許文献】
【０００４】
【特許文献１】特開２００８−５１１３９６号公報
【発明の概要】
【発明が解決しようとする課題】
【０００５】
しかし、特許文献１に係るセンサーアセンブリでは、センサーアセンブリが備えるコネクターを用いて外部装置との接続を行う構成であるため、外形が可撓性部材で構成されたセンサーアセンブリでは、外部装置との接続を安定した状態に保つことが難しいという問題があった。
【０００６】
本発明の目的は、受信装置と可撓性を有する測定装置との接続を安定した状態で維持することができる生体情報測定システム、かかる生体情報測定システムを構成する測定装置および受信装置を提供することにある。
【課題を解決するための手段】
【０００７】
上述の課題の少なくとも一部は、下記の本発明により達成される。
本発明の生体情報測定システムは、生体に関する情報を検出または測定する測定装置と、前記測定装置に対して着脱可能で、前記測定装置が取得した前記情報を受信する受信装置と、を備え、
前記測定装置は、
前記生体に関する前記情報を検出または測定する生体センサーと、
前記生体センサーの外面に接触して設けられたゲルと、
前記生体センサーが取得した前記情報を送信可能で、少なくとも一部が導電性を有する送信側ファスナー部と、を備え、
前記受信装置は、
前記送信側ファスナー部に対して着脱可能で、少なくとも一部が導電性を有する受信側ファスナー部と、
前記受信側ファスナー部を介して取得した前記情報を受信する受信部と、
前記受信部で受信した前記情報を処理する処理部と、を備えることを特徴とする。
【０００８】
このような本発明の生体情報測定システムによれば、測定装置が全体として可撓性を有していても、送信側ファスナー部と受信側ファスナー部とを係合することにより、測定装置と受信装置との接続を安定した状態で維持することができる。また、本発明の生体情報測定システムによれば、測定装置がゲルを有しているため、ゲルも使用者に対して追従するようにして密着させることができる。そのため、使用者が動作しても生体センサーを使用者に対して密着させておくことができ、よって、生体センサーからの情報を安定して取得することができる。
【０００９】
本発明の生体情報測定システムでは、前記送信側ファスナー部は、前記ゲルの外面に設けられていることが好ましい。
【００１０】
これにより、送信側ファスナー部がゲルの外面に設けられているので、送信側ファスナー部と信側ファスナー部との係合（結合）をより安定させることができ、よって、測定装置と受信装置との接続をより安定した状態で維持することができる。
【００１１】
本発明の生体情報測定システムでは、前記送信側ファスナー部は、送信側支持部と、前記送信側支持部に設けられた複数の送信側係合部位と、を有し、
前記受信側ファスナー部は、少なくとも１つの前記送信側係合部位と係合可能な複数の受信側係合部位を有することが好ましい。
【００１２】
これにより、複数の送信側係合部位のうちの少なくとも１つの送信側係合部位と、複数の受信側係合部位のうちの少なくとも１つの受信側係合部位とを接続すれば、測定装置と受信装置との導通をとることができる。
【００１３】
本発明の生体情報測定システムでは、前記送信側ファスナー部は、前記送信側係合部位として、絶縁性を有する送信側絶縁部位および導電性を有する送信側導電部位を有し、
前記受信側ファスナー部は、前記受信側係合部位として、絶縁性を有する受信側絶縁部位および導電性を有する受信側導電部位を有することが好ましい。
【００１４】
これにより、測定装置と受信装置との係合を強固にするとともに、測定装置と受信装置との導通を確実に行うことができる。
【００１５】
本発明の生体情報測定システムでは、前記送信側ファスナー部は、形状の異なる２種以上の前記送信側係合部位を有し、
前記受信側ファスナー部は、形状の異なる２種以上の前記受信側係合部位を有することが好ましい。
【００１６】
これにより、例えば、測定装置と受信装置との係合力を強くする構成である送信側係合部位および受信側係合部位と、測定装置と受信装置との導通を行うための構成である送信側係合部位および受信側係合部位とを有することができる。このため、測定装置と受信装置との係合を強固にするとともに、測定装置と受信装置との導通を確実に行うことができる。
【００１７】
本発明の測定装置は、生体に関する情報を検出または測定する生体センサーと、
前記生体センサーの外面に接触して設けられたゲルと、
受信装置に対して着脱可能で、前記生体センサーが取得した前記情報を送信可能であり、少なくとも一部が導電性を有する送信側ファスナー部と、を備えることを特徴とする。
【００１８】
このような本発明の測定装置によれば、送信側ファスナー部を備えることで、受信装置との接続を安定した状態で維持することができる。
【００１９】
本発明の受信装置は、測定装置に対して着脱可能で、少なくとも一部が導電性を有する受信側ファスナー部と、
前記測定装置に接続されることで、前記受信側ファスナー部を介して取得した情報を受信する受信部と、
前記受信部で受信した前記情報を処理する処理部と、を備えることを特徴とする。
【００２０】
このような本発明の受信装置によれば、受信側ファスナー部を備えることで、測定装置との接続を安定した状態で維持することができる。
【図面の簡単な説明】
【００２１】
【図１】本発明の第１実施形態に係る生体情報測定システムを示す図である。
【図２】図１に示す生体情報測定システムを模式的に示す断面図である。
【図３】図２に示す測定装置および受信装置の制御系を示すブロック図である。
【図４】本発明の第２実施形態に係る生体情報測定システムが有する測定装置を模式的に示す断面図である。
【図５】本発明の第３実施形態に係る生体情報測定システムを模式的に示す断面図である。
【図６】本発明の第３実施形態に係る生体情報測定システムが有する送信側ファスナー部および受信側ファスナー部の変形例を模式的に示す断面図である。
【発明を実施するための形態】
【００２２】
以下、本発明の生体情報測定システム、測定装置および受信装置を添付図面に示す好適な実施形態に基づいて詳細に説明する。
【００２３】
＜第１実施形態＞
図１は、本発明の第１実施形態に係る生体情報測定システムを示す図である。
【００２４】
図１に示すシステム１００は、本発明の生体情報測定システムの一例である。このシステム１００は、生体としての使用者Ｈに装着して用いられ、使用者Ｈに関する情報を測定し、その測定した情報を処理するウェアラブル機器である。
【００２５】
このシステム１００は、本発明の測定装置の一例である測定装置１と、本発明の受信装置の一例である受信装置９（付加装置）とを備えている。
【００２６】
測定装置１は、シート状をなし、例えば使用者Ｈの手首Ａに装着して用いられる。また、測定装置１の手首Ａ側の部分（一方の面）は、粘着性を有し、手首Ａの表面に追従して貼り付けられている。この測定装置１は、使用者Ｈに関する情報（生体情報）を測定するよう構成されている。生体としての使用者Ｈに関する情報としては、例えば、脈拍、心拍、臭い、汗、体温、血圧、血糖、酸素飽和度等の情報が挙げられる。
【００２７】
なお、図示では、測定装置１は、手首Ａに装着されているが、測定装置１は、使用者Ｈの身体のいずれの箇所に装着されていてもよく、例えば、胸、腹、背中、腕、首、足首、その他皮膚、血管等に装着されていてもよい。また、本実施形態では、測定装置１を人間である使用者Ｈに対して用いた場合を例に説明するが、測定装置１は、生体に対して用いればよく、人間以外の動物に対して用いてもよい。
【００２８】
受信装置９は、可撓性を有するシート状の装置であり、測定装置１に接続して用いられる。図示のとおり、受信装置９は、測定装置１の上面に配置された状態で、測定装置１に接続されている。この受信装置９は、測定装置１から伝送された情報を処理することができる。
【００２９】
なお、受信装置９は、可塑性が低くても、可塑性に優れていてもよい。また、図示では、測定装置１および受信装置９は、それぞれ、厚さ方向から見た平面視（以下、単に「平面視」という）で四角形状をなすが、平面視形状はこれに限定されず、任意である。また、受信装置９は、測定装置１よりも平面視形状が小さいが、測定装置１よりも平面視形状が大きくてもよいし、測定装置１の平面視形状と等しくてもよい。また、測定装置１および受信装置９は、それぞれ、シート状であるが、測定装置１の全体形状はこれに限定されず、任意である。例えば、測定装置１の全体形状は、ブロック状またはリング状等であってもよい。ただし、測定装置１は、生体の表面に追従して装着する（貼り付ける）作用を発揮するには、シート状であることが好ましい。
【００３０】
以下、システム１００の各部について詳述する。
図２は、図１に示す生体情報測定システムを模式的に示す断面図である。図３は、図２に示す測定装置および受信装置の制御系を示すブロック図である。
なお、以下では、説明の都合上、図２中の上側を「上」または「上方」、下側を「下」または「下方」と言う。
【００３１】
［測定装置］
測定装置１は、可撓性を有する可撓性基板４と、可撓性基板４に搭載された複数の生体センサー２と、複数の生体センサー２から出力された情報を処理する機能を有する回路部３と、平面視で四角形状をなし、測定装置１の外形の少なくとも一部を構成しているシート状のゲル５と、ゲル５の上面に設けられた送信側ファスナー部６と、を有する。
【００３２】
〈可撓性基板〉
可撓性基板４は、フレキシブル配線基板であり、ゲル５中に埋設されている。この可撓性基板４は、ゲル５の面方向に沿って配置されている。また、可撓性基板４の平面視形状は、ゲル５の平面視形状に対応した形状をなす。本実施形態では、可撓性基板４は、ゲル５の平面視形状よりも小さい四角形状をなし、平面視で四角形状をなすゲル５の外周を除く面内全域に設けられている。これにより、可撓性基板４は、ゲル５によって囲まれている。
【００３３】
可撓性基板４は、平面視で四角形状をなし、可撓性を有する基材４１と、基材４１に設けられた図示しない配線とを有する。
【００３４】
基材４１は、ゲル５よりも剛性が高く、芯材（コア材）としての機能を有する。このため、可撓性基板４によってゲル５全体の剛性を補助することができる。それゆえ、測定装置１を使用者Ｈの手首Ａから剥がしたり、再度貼り付けたりする作業を容易に行うことができる。
【００３５】
基材４１の構成材料としては、ゲル５全体の剛性を補助する機能を発揮することができれば特に限定されないが、例えば、セルロース材料や、ポリイミド材料、ポリエチレン材料およびポリプロピレン材料等のプラスチック材料等が挙げられ、これらのうち１種を単独でまたは２種以上を組み合わせて用いることができる。これらの中でも、基材４１の構成材料としては、セルロース材料を含むことが好ましく、特に、ナノセルロース材料を含むことがより好ましい。セルロース材料を含むことは、測定装置１を１回または数回の使用の後に使い捨てる装置として用いた場合に、省資源の点で好ましい。さらに、ナノセルロース材料を含むことで、ゲル５との密着性を高めることができる。
【００３６】
ここで、ナノセルロースとは、セルロースで構成されている繊維材料である。ナノセルロースは、（１）木材、ワラ等の植物を原料とするナノセルロース、（２）酢酸菌等の微生物により作られるナノセルロース、（３）電界紡糸法を用いて作られるナノセルロースの３種類に大別される。（１）木材、ワラ等の植物を原料とするナノセルロースには、さらに、（１ａ）繊維太さ４ｎｍ以上１００ｎｍ以下、繊維長さが５μｍ以上のナノセルロースであるセルロースナノファイバー、（１ｂ）繊維太さ１０ｎｍ以上５０ｎｍ以下、繊維長さ１００ｎｍ以上５００ｎｍ以下のナノセルロースであるセルロースナノクリスタルの２種類がある。
【００３７】
また、任意の形状の基材４１を形成し易いという観点では、基材４１の構成材料としては、プラスチック材料を用いることが好ましい。
【００３８】
また、配線の構成材料としては、特に限定されないが、例えば、銅（Ｃｕ）、金（Ａｕ）や銀（Ａｇ）等の金属材料や、カーボン材料等が挙げられ、これらのうち１種を単独でまたは２種以上を組み合わせて用いることができる。
【００３９】
上記のようなことから、可撓性基板４としては、プラスチック材料やセルロース材料を含む基材４１に金属材料やカーボン材料を含む配線が形成された基板であることが特に好ましい。これにより、可撓性に優れ、かつ、使い捨ての用途に適した測定装置１を実現できる。
【００４０】
以上、可撓性基板４について説明した。なお、本実施形態では、図示の通り、可撓性基板４は、ゲル５の面方向に沿って設けられているが、例えば、ゲル５の面方向に対して傾斜していてもよい。ただし、ゲル５の面方向に沿って可撓性基板４が設けられていることで、使用者Ｈの手首Ａから剥がしたり、再度貼り付けたりする作業をより容易に行うことができる。
【００４１】
また、本実施形態では、可撓性基板４は、１つであったが、可撓性基板４の数は、複数であってもよい。複数の可撓性基板４を有する場合、複数の可撓性基板４は厚さ方向に並んで設けられていてもよいし、同一面内に並んで設けられていてもよい。また、複数の可撓性基板４を有する場合には、センサーなどの機能部品を搭載していない可撓性基板４を有していてもよい。このような可撓性基板４を有することでも、ゲル５の剛性を高めることができる。
【００４２】
また、本実施形態では、可撓性基板４は、それぞれ、平面視形状が四角形状をなしているが、可撓性基板４の形状は、これに限定されず、例えば、帯状をなしていてもよい。また、可撓性基板４は、例えば、帯状を複数組み合わせた形状であってもよく、例えば、全体として格子状をなしていてもよい。ただし、可撓性基板４の平面視形状、特に基材４１の平面視形状は、ゲル５の平面視形状に対応した形状であることが好ましく、本実施形態のようにゲル５の外周を除く面内全域に設けられていることが好ましい。これにより、ゲル５の剛性を高めることができ、使用者Ｈの手首Ａから剥がしたり、再度貼り付けたりする作業をより容易に行うことができる。
【００４３】
〈生体センサー〉
図２に示す測定装置１は、複数の異なる項目の生体情報を検出または測定し得る複数の生体センサー２を有する。複数の生体センサー２は、それぞれ、生体に関する情報（以下、「生体情報」または単に「情報」とも言う）を検出または測定するセンサーである。これにより、１つの測定装置１で複数の項目の生体情報を取得することができ、有用である。
【００４４】
これら複数の生体センサー２は、それぞれ、可撓性基板４に支持されていて、可撓性基板４の面方向に沿って並んで設けられている。このように、複数の生体センサー２が可撓性基板４の面方向に沿って並んでいることで、測定装置１を薄型にすることができる。また、生体センサー２は、それぞれ、可撓性基板４が有する配線に電気的に接続されている。
【００４５】
また、複数の生体センサー２は、それぞれ、その上面および側面がゲル５に接触して設けられている。それゆえ、複数の生体センサー２は、それぞれ、平面視で、ゲル５に囲まれている。また、複数の生体センサー２の一部である下部２０（下面）は、それぞれ、ゲル５から露出している。そして、下部２０が手首Ａに接触するように測定装置１は使用者Ｈに装着されている。このように、下部２０が露出していることで、生体センサー２を使用者Ｈに対して接触させることができるため、使用者Ｈに関する情報を正確に取得することができる。
【００４６】
図３に示すように、測定装置１は、生体センサー２としての圧力センサー２１、温度センサー２２、臭覚センサー２３および汗センサー２４を有する。
【００４７】
圧力センサー２１は、測定装置１に加わった圧力を検出する機能を有する。この圧力センサー２１は、例えば、エラストマー材料および導電性を有する材料を含んで構成されていて、センシング部として機能する感圧ゴムを備えている。このような圧力センサー２１により、例えば、脈拍、心拍等の生体情報を検出または測定することができる。
【００４８】
温度センサー２２は、測定装置１に加わった温度（体温）を検出する機能を有する。この温度センサー２２は、例えば、温度により抵抗が変化し、センシング部として機能する導電膜を備えている。このような温度センサー２２により、例えば、体温を測定することができる。
【００４９】
臭覚センサー２３は、使用者Ｈの臭い（臭い成分）を検出する機能を有する。この臭覚センサー２３は、例えば、特定の分子を吸着し、センシング部として機能する感応膜と、を備えている。
【００５０】
汗センサー２４は、使用者Ｈの汗を検出する機能を有する。この汗センサー２４は、例えば、乳酸を検出可能なものであり、センシング部として機能する有機半導体を備える有機薄膜トランジスタ（ＯＴＦＴ）を備えている。
【００５１】
また、測定装置１は、圧力センサー２１、温度センサー２２、臭覚センサー２３および汗センサー２４の他に、図示はしないが、生体センサー２として、血糖や酸素飽和度等を検出する生体センサーを有している。なお、脈拍センサーとして、発光部と受光部を備えた光学式の生体センサーを使用してもかまわない。
【００５２】
このような圧力センサー２１、温度センサー２２、臭覚センサー２３および汗センサー２４を含め、測定装置１が有する生体センサー２は、薄膜トランジスタ（ＴＦＴ）を備える構成であってもよい。有機薄膜トランジスタ（ＯＴＦＴ）を備えた構成であることがより好ましい。これにより、測定装置１を薄型で柔軟性を有する構成にすることができ、使用者Ｈに対する密着性を高めることができる。
【００５３】
ここで、有機薄膜トランジスタ（ＯＴＦＴ）としては、例えば、有機半導体等のセンシング部として機能する部位に測定対象である物体（分子等）を認識する受容体が設けられている構成が挙げられる。このような有機薄膜トランジスタ（ＯＴＦＴ）を用いた生体センサー２による測定方法（検出方法）としては、測定対象である物体（分子等）を、酵素反応を用いて認識する方法や免疫反応を用いて認識する方法等が挙げられる。
【００５４】
また、生体センサー２のゲル５から露出している部分は、センシング部であることが好ましい。したがって、測定装置１では、下部２０にセンシング部が位置しており、このセンシング部がゲル５から露出していることが好ましい。これにより、センシング部を手首Ａに接触させることができるので、使用者Ｈに関する情報を正確に取得することができる。
【００５５】
以上、生体センサー２について説明した。なお、本実施形態では、測定装置１は、生体センサー２のみを備えているが、生体としての使用者Ｈに関する情報を測定する以外のセンサーを備えていてもよい。また、測定装置１は、例えば、加速度センサー、ジャイロセンサー、光センサーおよび磁気センサー等を有していてもよい。また、測定装置１が有する生体センサー２の数は、図示の数に限定されず、任意である。
【００５６】
〈回路部〉
回路部３は、ゲル５中に埋設されている。すなわち、回路部３は、ゲル５によって囲まれている。
【００５７】
回路部３は、可撓性基板４の図示しない配線で電気的に接続されている。この配線を介して、回路部３に各生体センサー２から出力された信号が伝達される。
【００５８】
図３に示すように、回路部３は、制御部３１と、電源回路３２１と、電源部としてのバッテリー３２と、を有する。これら回路部３を構成する各部はゲル５中に埋設されている。
【００５９】
制御部３１は、生体センサー２から出力された信号を処理する処理部であり、例えば、その信号を基に得られた使用者Ｈに関する情報に基づいて測定装置１の各部を制御する。このような制御部３１は、例えば、ＣＰＵ（Central Processing Unit）、ＲＯＭ（read only memory）、ＲＡＭ（Random Access Memory）、Ｉ／Ｏ（input/output）ポート等を含んで構成されている。
【００６０】
電源回路３２１は、バッテリー３２からの電力を、回路部３が有する各部や各生体センサー２に対して必要に応じて供給する機能を有する。バッテリー３２としては、特に限定されないが、例えば、リチウム電池等の一次電池、または、リチウムイオン電池、ニッケル水素電池等の二次電池を用いることができる。また、バッテリー３２としては、太陽電池を用いることができ、特に、有機薄膜太陽電池を用いることが好ましい。これにより、測定装置１を薄型で柔軟性を有する構成にでき、よって、測定装置１の使用者Ｈに対する密着性を高めることができる。この場合、太陽電池はゲル５から受光部が露出していることが好ましい。
【００６１】
なお、電源回路３２１は、例えば測定装置１の使用用途やバッテリー３２の種類等によっては省略してもよい。また、電源部としては、バッテリー３２を有さず、単に、電力の入力端子を備えるものでもよい。
【００６２】
〈ゲル〉
図２に示すゲル５は、前述したように、測定装置１の外形の少なくとも一部を構成する部材である。本実施形態では、ゲル５は、粘着性を有しており、ゲル５の下面５０が手首Ａに接触している。また、ゲル５は、柔軟性が高い。このため、ゲル５を前述したように外形を構成する部材として用いることで、手首Ａに追従させることができる。そのため、ゲル５の下面５０の全体を手首Ａに対して密着させることができる。
【００６３】
また、ゲル５は、平面視で、各生体センサー２、回路部３を構成する各部および可撓性基板４を囲んでいる。これにより、各生体センサー２、回路部３を構成する各部および可撓性基板４を保護することができる。そのため、測定装置１が曲げられても、ゲル５よりも硬い部品である各生体センサー２、回路部３を構成する各部および可撓性基板４に生じる荷重応力を低減することができる。
【００６４】
また、ゲル５は、絶縁性を有する。これにより、測定装置１の漏電を防ぐことができる。また、各生体センサー２および回路部３における短絡を防ぐことができる。
【００６５】
このようなゲル５の構成材料としては、柔軟性を発揮することができるものであれば特に限定されないが、ポリ乳酸系ゲルやシリコーン系ゲル等が挙げられ、これらのうち１種を単独でまたは２種以上を組み合わせて用いることができる。特に、ポリ乳酸系ゲルは、省資源の点で好ましい。
【００６６】
また、ゲル５は、有色であってもよいし、無色であってもよく、また、光透過性を有していてもよいし、光透過性を有していなくてもよい。
【００６７】
以上、ゲル５について説明した。なお、本実施形態では、ゲル５は１種のゲルで構成されているが、ゲル５は２種以上の複数のゲルで構成されていてもよい。また、ゲル５は、その全体が粘着性を有していてもよいし、一部のみが粘着性を有していてもよい。例えば、ゲル５は、下面５０（一方の面）が手首Ａに対する粘着力を有し、上面（一方の面に対向する他方の面）が下面５０よりも粘着力が弱くなっていてもよい。すなわち、例えば、ゲル５は、下面５０側が粘着力の高い第１ゲルで構成され、上面側が第１ゲルよりも粘着性が低い第２ゲルで構成されていてもよい。これにより、手首Ａに測定装置１を貼り付ける作業を簡単に行うことができる。また、この場合、第１ゲルおよび第２ゲルの界面付近は、これらが混在した状態で存在してもよい。
【００６８】
また、例えば、ゲル５の使用者Ｈに対する密着力または粘着力が十分でない場合、例えば、粘着力が高いシートでゲルを覆うことにより、使用者Ｈに対して測定装置１を装着してもよいし、また、バント等を用いて使用者Ｈに対して測定装置１を装着してもよい。
【００６９】
また、本実施形態では、ゲル５は、絶縁性であるが、例えば、ゲル５の一部が導電性を有し、その導電性を有する部分が各生体センサー２や回路部３を構成する各部に電気的に接続された配線等の機能を発揮していてもよい。
【００７０】
また、ゲル５と、前述した可撓性基板４とは、別部材で構成されていたが、これらが一体的に形成されていてもよい。
【００７１】
また、本実施形態では、可塑性基板４がゲル５中に埋設されているとしていたが、可塑性基板４の一部がゲル５から露出していてもよい。例えば、生体センサー２が実装されていない面はゲル５に覆われておらず、樹脂などの可塑性材料で覆われていてもよい。また、生体センサー２の周囲のみがゲル５で覆われていても構わない。
【００７２】
〈送信側ファスナー部〉
送信側ファスナー部６は、ゲル５の上面に接着されている。なお、本実施形態では、送信側ファスナー部６は、ゲル５の上面全域に設けられているが、送信側ファスナー部６の設置箇所はこれに限定されず、任意である。例えば、送信側ファスナー部６は、ゲル５の上面の一部分のみに設けられていてもよい。
【００７３】
送信側ファスナー部６は、後述する受信側ファスナー部７と係合することにより、測定装置１に対して受信装置９を着脱可能に装着（接続）し得る装着部材である。送信側ファスナー部６と受信側ファスナー部７とで導電性を有する面ファスナーを構成している。また、送信側ファスナー部６は、測定装置１の情報を受信装置９に送信する出力部（送信部）としての機能を有する。
【００７４】
この送信側ファスナー部６は、送信側支持部６１と、送信係合部６２とを有する。
送信側支持部６１は、ゲル５に支持されたシート状の部材であり、平面視で可撓性基板４の平面視形状に対応した四角形状をなす。なお、送信側支持部６１は、ゲル５に支持可能であれば、いかなる形状であってもよく、その平面視形状は四角形に限定されず、任意である。また、送信側支持部６１は、図示はしないが、ゲル５に接続するための支持基材と、この支持基材に設けられ、回路部３からの信号を受信装置９に伝達するための配線や電極等とを備えている。
【００７５】
このような送信側支持部６１は、例えば、支持基材がプラスチック材料やセルロース材料で構成されている。また、送信側支持部６１とゲル５との接着力を高めるため、ゲル５または送信側支持部６１にはプライマー処理等が施されていてもよい。
【００７６】
送信係合部６２は、送信側係合部位６２０としての送信側絶縁部位６２１を複数有する
絶縁部位群６２１０と、送信側係合部位６２０としての送信側導電部位６２２を複数有する導電部位群６２２０と、を有する。
【００７７】
送信側絶縁部位６２１は、絶縁性を有し、送信側導電部位６２２は、導電性を有する。また、送信側絶縁部位６２１および送信側導電部位６２２は、それぞれ、ループ状をなし、その一部が送信側支持部６１に固定されている。また、送信側絶縁部位６２１および送信側導電部位６２２は、それぞれ、後述する受信装置９が備える受信側ファスナー部７の対応する受信側絶縁部位７２１および受信側導電部位７２２に接続可能（係合可能）に構成されている。
【００７８】
また、送信側導電部位６２２は、送信側支持部６１が有する電極等に接続された端子としての機能を有する。それゆえ、送信側導電部位６２２と受信側導電部位７２２とが係合されることにより、係合された送信側導電部位６２２と受信側導電部位７２２との間で信号が送受信される。
【００７９】
また、本実施形態では、送信係合部６２は、絶縁部位群６２１０および導電部位群６２２０をそれぞれ複数有している。そして、隣り合う導電部位群６２２０同士が接続されないよう、隣り合う導電部位群６２２０同士の間には、絶縁部位群６２１０が設けられている。このように、本実施形態では、複数の導電部位群６２２０が、それぞれ、信号の種類等によって区分けされており、これら導電部位群６２２０同士の間での短絡を回避するように絶縁部位群６２１０が設けられている。
【００８０】
送信側絶縁部位６２１の構成材料としては、例えば、プラスチック材料やセルロース材料を含んで構成されている。また、送信側導電部位６２２は、例えば、プラスチック材料やセルロース材料とともに、金属材料やカーボン材料を含んで構成されている。
【００８１】
また、送信側導電部位６２２は、例えば、プラスチック材料やセルロース材料を含んで構成された基材部位に、めっき処理等により金属材料を含む膜を覆うようにして構成することができる。また、送信側導電部位６２２は、例えば、プラスチック材料やセルロース材料を含まず、金属材料単独で構成された金属線で構成されていてもよい。
以上、送信側ファスナー部６について説明した。
【００８２】
また、本実施形態では、可塑性基板４がゲル５中に埋設されているとしていたが、可塑性基板４の一部がゲル５から露出していてもよい。例えば、生体センサー２が実装されていない面はゲル５に覆われておらず、樹脂などの可塑性材料で覆われていてもよい。また、生体センサー２の周囲のみがゲル５で覆われていても構わない。送信側支持部６１は、可塑性基板４に直接接合していてもよいし、可塑性基板４の生体センサー２が実装されていない面を覆う樹脂などに接合していてもよい。
以上、測定装置１について説明した。
【００８３】
以上説明したような本発明の測定装置の一例である測定装置１は、生体に関する情報を検出または測定する生体センサー２と、生体センサー２の外面に接触して設けられたゲル５と、受信装置９に対して着脱可能で、生体センサー２が取得した情報を送信可能であり、少なくとも一部が導電性を有する送信側ファスナー部６と、を備える。このような測定装置１によれば、送信側ファスナー部６と後述する受信装置９が備える受信側ファスナー部７とで面ファスナーを構成することができる。このため、送信側ファスナー部６を受信側ファスナー部７に係合することで、測定装置１と受信装置９との接続を安定して維持することができる。また、測定装置１は、ゲル５を有しているため、ゲル５を使用者に対して追従するようにして密着させることができる。このため、生体センサー２からの情報を正確に取得することができる。また、面ファスナー構造を採用することにより、測定装置１と受信装置９は簡単に脱着することができる。そのため、例えば、複数の使用者Ｈが測定装置１をそれぞれ装着したい場合に、少ない数の受信装置９を共用することができる。
【００８４】
また、送信側ファスナー部６が、ゲル５の外面、本実施形態では上面に設けられている。これにより、送信側ファスナー部６と信側ファスナー部７との係合（結合）をより安定させることができ、よって、測定装置１と受信装置９との接続をより安定した状態で維持することができる。
【００８５】
また、前述したように、測定装置１は、各生体センサー２の一部がゲル５から露出しているため、その露出した部分を使用者Ｈに対して接触させて用いることで、生体センサー２からの情報をより正確に取得することができる。
【００８６】
また、前述したように、測定装置１は、芯材としての機能を有する可撓性基板４を有しているため、例えば、測定装置１の外形が比較的柔軟なゲル５で構成されている場合であっても、測定装置１の形状を保持する程度の剛性を確保することができる。そのため、使用者Ｈに対して測定装置１を貼り付けたり、剥がしたりする作業を容易に行うことができる。
【００８７】
また、前述したように、測定装置１は、生体センサー２の側面および上面と、回路部３を構成する各部と、可撓性基板４とがそれぞれゲル５で覆われている。このため、測定装置１が曲げられても生体センサー２、回路部３を構成する各部および可撓性基板４に生じる荷重応力を低減でき、よって、生体センサー２からの情報を正確に取得することができる。
【００８８】
また、前述したように、測定装置１は、可撓性基板４が生体センサー２から出力された信号を伝達する配線を備え、この配線に接続され、信号を処理する処理部として機能する制御部３１と、制御部３１に電力を供給するバッテリー３２と、を有する。このため、測定装置１をウェアラブル機器として適した構成とすることができる。
【００８９】
次に、受信装置９について説明する。
［受信装置］
図２に示すように、受信装置９は、受信部および処理部の機能を有する制御部８１を含む回路部８を備える多層基板８０と、表示部８３と、受信側ファスナー部７と、を有する。
【００９０】
〈多層基板〉
多層基板８０には、回路部８が組み込まれている。本実施形態では、多層基板８０は、リジット配線基板であるが、フレキシブル配線基板であってもよい。
【００９１】
また、多層基板８０には、表示部８３および受信側ファスナー部７に接続されている配線８０１が設けられている。
【００９２】
図３に示すように、回路部８は、制御部８１と、電源回路８２１と、電源部としてのバッテリー８２と、無線通信部８４と、報知部８８と、を有する。
【００９３】
制御部８１は、測定装置１から送信された情報を受信する受信部としての機能と、その受信部で受信した使用者Ｈに関する情報を処理する処理部としての機能と、を有する。例えば、制御部８１は、受信した情報を必要に応じて表示部８３に表示させる処理を行う。また、制御部８１は、受信した情報に基づいて計算を行い、その計算結果を表示部８３に表示させてもよい。このような制御部８１は、例えば、ＣＰＵ（Central Processing Unit）、ＲＯＭ（read only memory）、ＲＡＭ（Random Access Memory）、Ｉ／Ｏ（input/output）ポート等を含んで構成されている。
【００９４】
電源回路８２１は、バッテリー８２からの電力を、回路部８が有する各部や表示部８３に対して必要に応じて供給する機能を有する。バッテリー８２としては、前述したバッテリー３２と同様の各種電池等を用いることができる。中でも、有機薄膜太陽電池などの太陽電池を用いることが好ましい。これにより、受信装置９を薄型にすることができる。
【００９５】
なお、電源回路８２１による電力の供給は、常時行ってもよいが、例えば受信装置９が電源スイッチ（図示せず）を有する場合、電源スイッチの操作によりオンオフできるようになっていてもよい。また、電源部としては、バッテリー８２を有さず、単に、電力の入力端子を備えるものであってもよい。
【００９６】
無線通信部８４は、無線通信（送信および受信）機能を有する。より具体的には、無線通信部８４は、例えば、制御部８１で処理することにより得られた情報を、例えばスマートフォンやパーソナルコンピューター等の外部装置（図示せず）に対して無線送信する機能を有する。
【００９７】
このような無線通信部８４は、アンテナ８４１および通信回路８４２を有する。
アンテナ８４１は、特に限定されないが、例えば、金属材料、カーボン等で構成され、巻線、薄膜等の形態をなす。なお、アンテナ８４１は、送信および受信に共通して１つのアンテナで構成されていてもよいし、送信および受信のそれぞれに対応して２つのアンテナで構成されていてもよい。
【００９８】
通信回路８４２は、例えば、電磁波を送信するための送信回路と、送信する信号を変調する機能を有する変調回路と、電磁波を受信するための受信回路と、受信する信号を復調する機能を有する復調回路とを有する。なお、通信回路８４２は、信号の周波数を小さく変換する機能を有するダウンコンバータ回路、信号の周波数を大きく変換する機能を有するアップコンバータ回路、信号を増幅する機能を有する増幅回路等を有していてもよい。
【００９９】
報知部８８は、振動部８５、音声発生部８６および発光部８７を有する。
振動部８５は、必要に応じて受信装置９を振動させる機能を有する。これにより、所定条件のときに振動部８５を駆動させることにより、使用者Ｈに所定条件である旨を報知することができる。この振動部８５は、例えば、軸部に偏心した錘が取り付けられたモーターを含んで構成されている。なお、振動部８５は、圧電素子を含んで構成されていてもよい。
【０１００】
音声発生部８６は、必要に応じて聴取可能な音声を発生させる機能を有する。これにより、所定条件のときに音声発生部８６から音声を発生させることにより、使用者Ｈに所定条件である旨を報知することができる。この音声発生部８６は、オーディオ回路およびスピーカーを含んで構成されている。
【０１０１】
発光部８７は、必要に応じて受信装置９外に視認可能な光を発生する機能を有する。これにより、使用者Ｈまたは使用者Ｈ以外の人に所定条件である旨を報知することができる。この発光部８７は、発光ダイオード（特に有機発光ダイオード）を含んで構成されている。
【０１０２】
このように、処理部としての機能を有する制御部８１により処理された情報に基づいて報知する報知部８８を有し、報知部８８が、振動部８５、音声発生部８６および発光部８７を備えている。これにより、例えば所定条件のときに報知部８８を駆動させ、システム１００を使用している使用者Ｈまたはその使用者Ｈ以外の人に、所定条件である旨を報知することができる。なお、本実施形態では、報知部８８は、振動部８５、音声発生部８６および発光部８７を有しているが、報知部８８は、これらのうち少なくとも１つを備えていればよい。
【０１０３】
以上、回路部８について説明した。なお、回路部８は、図示した各部以外の構成を有していてもよく、例えば、ＧＰＳ受信部や表示パネル等を有していてもよい。また、電源回路８２１が例えばムービングコイル等を備え、バッテリー８２を電磁誘導型の無接点充電器（ワイヤレス充電器）により充電できるよう構成されていてもよい。
【０１０４】
〈表示部〉
表示部８３は、生体に関する情報を必要に応じて表示可能に構成されている。このような表示部８３は、例えば、液晶パネルまたは有機エレクトロルミネッセンスパネル等の表示パネルと、表示パネルを駆動し、薄膜トランジスタ（ＴＦＴ）を含んで構成された駆動回路と、を備えている。これらの表示パネルはリジットの安価なパネルを使用することができる。測定装置１と受信装置９は、前述した送信側ファスナー部６と後述する受信側ファスナー部７により接続されるので、リジットなパネルであっても安定した接続を確保でき、装置全体、すなわちシステム１００のコストを低減することができる。
【０１０５】
なお、表示部８３として、有機エレクトロルミネッセンスパネルと薄膜トランジスタ（ＴＦＴ）を含んで構成された駆動回路とを備える有機エレクトロルミネッセンスディスプレイ（ＯＬＥＤ）を採用してもよい。これにより、受信装置９を薄型にすることができる。また、多層基板８０としてフレキシブル配線基板を採用し、さらに、表示部８３を有機エレクトロルミネッセンスディスプレイ（ＯＬＥＤ）等の可撓性を有する構成とすることで、可撓性を有する受信装置９を実現することができる。こうすることにより、測定装置１への追従性に優れた受信装置９を実現できる。
【０１０６】
〈受信側ファスナー部〉
受信側ファスナー部７は、受信装置９に対して測定装置１を着脱可能に装着（接続）し得る装着部材である。また、受信側ファスナー部７は、測定装置１の情報を受信する受信部としての機能を有する。また、受信側ファスナー部７は、測定装置１に各種信号を送信する出力部（送信部）としても機能する。
【０１０７】
この受信側ファスナー部７は、受信側支持部７１と、受信係合部７２とを有する。
受信側支持部７１は、多層基板８０に支持されたシート状の部材であり、平面視で多層基板８０の平面視形状に対応した四角形状をなす。なお、受信側支持部７１は、多層基板８０に支持可能であれば、いかなる形状であってもよく、その平面視形状は四角形に限定されず、任意である。また、受信側支持部７１は、図示はしないが、多層基板８０に接続するための支持基材と、この支持基材に設けられ、配線８０１に接続された配線や電極等とを備えている。受信側支持部７１は可塑性に優れていてもよい。
【０１０８】
このような受信側支持部７１は、例えば、支持基材がプラスチック材料やセルロース材料を含んで構成されている。
【０１０９】
受信係合部７２は、受信側係合部位７２０としての受信側絶縁部位７２１を複数有する
絶縁部位群７２１０と、受信側係合部位７２０としての受信側導電部位７２２を複数有する導電部位群７２２０と、を有する。
【０１１０】
受信側絶縁部位７２１は、絶縁性を有し、受信側導電部位７２２は、導電性を有する。また、受信側絶縁部位７２１および受信側導電部位７２２は、それぞれ、フック状をなし、その一部が受信側支持部７１に固定されている。また、受信側絶縁部位７２１および受信側導電部位７２２は、それぞれ、対応する送信側絶縁部位６２１および送信側導電部位６２２に接続可能（係合可能）に構成されている。本実施形態では、フック状をなす受信側絶縁部位７２１および受信側導電部位７２２が、対応するループ状をなす送信側絶縁部位６２１および送信側導電部位６２２に引っ掛かるようにして係合される。
【０１１１】
また、受信側導電部位７２２は、受信側支持部７１が有する電極等に接続された端子としての機能を有する。それゆえ、送信側導電部位６２２と受信側導電部位７２２とが係合されることにより、係合された送信側導電部位６２２と受信側導電部位７２２との間で信号が送受信される。
【０１１２】
また、本実施形態では、受信係合部７２は、絶縁部位群７２１０および導電部位群７２２０をそれぞれ複数有している。そして、隣り合う導電部位群７２２０同士が接続されないよう、隣り合う導電部位群７２２０同士の間には、絶縁部位群７２１０が設けられている。すなわち、本実施形態では、複数の導電部位群７２２０が、それぞれ、信号の種類等によって区分けされており、これら導電部位群７２２０同士の間での短絡を回避するように絶縁部位群７２１０が設けられている。
【０１１３】
受信側絶縁部位７２１の構成材料としては、例えば、プラスチック材料やセルロース材料を含んで構成されている。また、受信側導電部位７２２は、例えば、プラスチック材料やセルロース材料とともに、金属材料やカーボンナ材料を含んで構成されている。
【０１１４】
また、受信側絶縁部位７２１は、例えば、プラスチック材料やセルロース材料を含んで構成された基材部位に、めっき処理等により金属材料を含む膜を覆うようにして構成することができる。また、受信側絶縁部位７２１は、例えば、プラスチック材料やセルロース材料を含まず、金属材料単独で構成された金属線で構成されていてもよい。
【０１１５】
また、受信側ファスナー部７は、前述した送信側ファスナー部６と同様の材料で構成されていることが好ましい。これにより、受信側ファスナー部７と送信側ファスナー部６との接続を良好にすることができる。
以上、受信装置９について説明した。
【０１１６】
以上説明したような本発明の受信装置の一例である受信装置９は、測定装置１に対して容易に着脱可能で、少なくとも一部が導電性を有する受信側ファスナー部７と、測定装置１に接続されることで、受信側ファスナー部７を介して取得した情報を受信する受信部と、受信部で受信した情報を処理する処理部としての機能を有する制御部８１と、を備える。このような受信装置９によれば、受信側ファスナー部７と測定装置１が備える送信側ファスナー部６とで面ファスナーを構成することができる。このため、受信側ファスナー部７を送信側ファスナー部６に係合することで、受信装置９と測定装置１との接続を容易に行うことができ、その接続を安定して維持することができる。また、受信装置９が制御部８１を備えることで、測定装置１からの情報を受信し、その情報を基に計算する処理や、その情報を表示部８３に表示する処理を行うことができる。
以上、システム１００について説明した。
【０１１７】
以上説明したような本発明の生体情報測定システムの一例であるシステム１００は、生体に関する情報を検出または測定する測定装置１と、測定装置１に対して着脱可能で、測定装置１が取得した情報を受信する受信装置９と、を備える。測定装置１は、生体に関する情報を検出または測定する生体センサー２と、生体センサー２の外面に接触して設けられたゲル５と、生体センサー２が取得した情報を送信可能で、少なくとも一部が導電性を有する送信側ファスナー部６と、を備える。一方、受信装置９は、送信側ファスナー部６に対して着脱可能で、少なくとも一部が導電性を有する受信側ファスナー部７と、制御部８１と、を備える。制御部８１は、受信側ファスナー部７を介して取得した情報を受信する受信部と、受信部で受信した情報を処理する処理部としての機能を有する。このようなシステム１００によれば、送信側ファスナー部６と受信側ファスナー部７とで面ファスナーを構成することができるため、測定装置１が全体として可撓性を有していても、測定装置１と受信装置９とを容易に接続することができ、また、その接続を安定して維持することができる。また、送信側ファスナー部６が有するループ状をなす送信側係合部位６２０の内周の周方向での長さは、フック状をなす受信側係合部位７２０の外周の周方向の長さよりも大きい。このため、送信側ファスナー部６と受信側ファスナー部７とを係合した状態で、測定装置１と受信装置９との相対的な位置のズレを許容できる。そのため、受信装置９が測定装置１に追従しにくい構成、すなわち、受信装置９が可撓性が低い構成であっても、測定装置１と受信装置９との接続を安定して維持することができる。
【０１１８】
また、測定装置１がゲル５を有しているため、ゲル５を使用者Ｈに対して追従するようにして密着させることができる。そのため、使用者Ｈが動作しても生体センサー２を使用者Ｈに対して密着させておくことができ、よって、生体センサー２からの情報を安定して取得することができる。
【０１１９】
また、前述したように、受信側ファスナー部７は、受信側係合部位７２０として、絶縁性を有する受信側絶縁部位７２１および導電性を有する受信側導電部位７２２を有する。また、前述したように、送信側ファスナー部６は、送信側係合部位６２０として、絶縁性を有する送信側絶縁部位６２１および導電性を有する送信側導電部位６２２を有する。これにより、測定装置１と受信装置９との係合を強固にするとともに、測定装置１と受信装置９との導通をとることができる。
【０１２０】
また、前述したように、送信側ファスナー部６は、ゲル５に支持されている送信側支持部６１と、送信側支持部６１に設けられた複数の送信側係合部位６２０としての送信側絶縁部位６２１および送信側導電部位６２２と、を有する。また、受信側ファスナー部７は、少なくとも１つの送信側係合部位６２０としての送信側絶縁部位６２１および送信側導電部位６２２と係合可能な複数の受信側係合部位７２０としての受信側絶縁部位７２１および受信側導電部位７２２を有する。これにより、複数の送信側導電部位６２２と複数の受信側導電部位７２２との少なくとも１つ同士が接続されれば、測定装置１と受信装置９との間での導通がなされる。したがって、測定装置１と受信装置９とを簡単な位置の調整で接続することができ、これらの導通をとることができる。
【０１２１】
＜第２実施形態＞
次に、本発明の第２実施形態について説明する。
【０１２２】
図４は、本発明の第２実施形態に係る生体情報測定システムが有する測定装置を模式的に示す断面図である。
【０１２３】
本実施形態に係る測定装置は、送信側ファスナー部の構成が異なること以外は、前述した第１実施形態と同様である。
【０１２４】
なお、以下の説明では、第２実施形態に関し、前述した実施形態との相違点を中心に説明し、同様の事項に関してはその説明を省略する。また、図４では、前述した実施形態と同様の構成について、同一符号を付している。
【０１２５】
図４に示すように、測定装置１Ａが有する送信側ファスナー部６Ａは、送信側支持部６１と、送信側係合部位６２０Ａとしての送信側絶縁部位６２１Ａおよび送信側導電部位６２２Ａを有する送信係合部６２Ａとを備える。
【０１２６】
本実施形態では、送信側ファスナー部６Ａは、複数種の大きさの異なる送信側係合部位６２０Ａを有している。具体的には、送信側絶縁部位６２１Ａおよび送信側導電部位６２２Ａのそれぞれの大きさが、送信側支持部６１の中央部から外周部に向かうにつれて、大きくなっている。これにより、測定装置１Ａを手首Ａのような凸湾曲面を有する部位に装着した場合に、図示のように、断面視で、複数の送信側絶縁部位６２１Ａおよび送信側導電部位６２２Ａの上端を同一直線上またはそれに近い線上に位置させることができる。これにより、送信側ファスナー部６Ａの全域にわたって受信側ファスナー部７を接続しやすく、よって、測定装置１Ａと受信装置９とをより強固に接続できる。特に、受信装置９が可撓性が低い構成である場合に有効である。
【０１２７】
このような構成によっても、受信装置９と柔軟な測定装置１Ａとの接続を容易に行うことができ、その接続を維持することができる。
【０１２８】
なお、第１実施形態で説明した受信装置９が有する受信側ファスナー部７が、複数種の大きさの異なる受信側係合部位７２０を有していてもよい。
【０１２９】
＜第３実施形態＞
次に、本発明の第３実施形態について説明する。
【０１３０】
図５は、本発明の第３実施形態に係る生体情報測定システムを模式的に示す断面図である。本発明の第３実施形態に係る生体情報測定システムが有する送信側ファスナー部および受信側ファスナー部の変形例を模式的に示す断面図である。
【０１３１】
本実施形態に係る生体情報測定システムは、送信側ファスナー部および受信側ファスナー部の構成が異なること以外は、前述した第１実施形態と同様である。
【０１３２】
なお、以下の説明では、第３実施形態に関し、前述した実施形態との相違点を中心に説明し、同様の事項に関してはその説明を省略する。また、図５および図６では、それぞれ、前述した実施形態と同様の構成について、同一符号を付している。
【０１３３】
図５に示すように、測定装置１Ｂが有する送信側ファスナー部６Ｂは、送信側支持部６１と、送信側係合部位６２０Ｂとしての送信側絶縁部位６２１Ｂおよび送信側導電部位６２２Ｂを有する送信係合部６２Ｂとを備える。また、受信装置９Ｂが有する受信側ファスナー部７Ｂは、受信側支持部７１と、受信側係合部位７２０Ｂとしての受信側絶縁部位７２１Ｂおよび受信側導電部位７２２Ｂを有する受信係合部７２Ｂとを備える。
【０１３４】
本実施形態では、送信側ファスナー部６Ｂは、形状の異なる２種以上の送信側係合部位６２０Ｂを有する。具体的には、送信側ファスナー部６Ｂは、ループ状をなす送信側絶縁部位６２１Ｂおよびフック状をなす送信側絶縁部位６２１Ｂと、送信側支持部６１から突出し、先端部が球状をなす送信側導電部位６２２Ｂと、を有する。このように、送信側ファスナー部６Ｂでは、送信側絶縁部位６２１Ｂの形状と送信側導電部位６２２Ｂの形状とが相違する。また、送信側ファスナー部６Ｂは、形状の異なる２種の送信側絶縁部位６２１Ｂを有する。
【０１３５】
また、受信側ファスナー部７Ｂは、形状の異なる２種以上の受信側係合部位７２０Ｂを有する。具体的には、受信側ファスナー部７Ｂは、ループ状をなす受信側絶縁部位７２１Ｂおよびフック状をなす受信側絶縁部位７２１Ｂと、受信側支持部７１から突出し、先端部が球状をなす受信側導電部位７２２Ｂと、を有する。このように、受信側ファスナー部７Ｂでは、受信側絶縁部位７２１Ｂの形状と受信側導電部位７２２Ｂの形状とが相違する。また、受信側ファスナー部７Ｂは、形状の異なる２種の受信側絶縁部位７２１Ｂを有する。
【０１３６】
ループ状をなす受信側絶縁部位７２１Ｂにフック状をなす送信側絶縁部位６２１Ｂが引っ掛かるようにして係合され、また、ループ状をなす送信側絶縁部位６２１Ｂにフック状をなす受信側絶縁部位７２１Ｂが引っ掛かるようにして係合される。また、受信側導電部位７２２Ｂおよび送信側導電部位６２２Ｂの先端部の基端同士が係合することで、受信側導電部位７２２Ｂおよび送信側導電部位６２２Ｂは係合される。
【０１３７】
ここで、ループ状またはフック状をなす送信側絶縁部位６２１Ｂとループ状またはフック状をなす受信側絶縁部位７２１Ｂとの係合力は、先端部が球状をなす送信側導電部位６２２Ｂと先端部が球状をなす受信側導電部位７２２Ｂとの係合力よりも強い。一方、先端部が球状をなす送信側導電部位６２２Ｂと先端部が球状をなす受信側導電部位７２２Ｂとの接続は、互いの接触面積が大きいため、導通をとるのに最適である。このようなことから、送信側ファスナー部６Ｂおよび受信側ファスナー部７Ｂを有することで、測定装置１Ｂと受信装置９Ｂとの係合を強固にするとともに、測定装置１Ｂと受信装置９Ｂとの導通を確実に行うことができる。なお、本実施形態では、送信側導電部位６２２Ｂおよび受信側導電部位７２２Ｂは、それぞれ、その先端部が球状をなしていたが、送信側導電部位６２２Ｂが、送信側支持部６１から突出していて先端部の幅が基端部の幅よりも大きい構成であり、かつ、受信側導電部位７２２Ｂが、受信側支持部７１から突出していて先端部の幅が基端部の幅よりも大きい構成であれば、送信側導電部位６２２Ｂおよび受信側導電部位７２２Ｂの互いの接触面積を大きくすることができる。
【０１３８】
このように、本実施形態では、送信側ファスナー部６Ｂが、形状の異なる２種以上の送信側係合部位６２０Ｂとしての送信側絶縁部位６２１Ｂおよび送信側導電部位６２２Ｂを有する。また、受信側ファスナー部７Ｂが、形状の異なる２種以上の受信側係合部位７２０Ｂとしての受信側絶縁部位７２１Ｂおよび受信側導電部位７２２Ｂを有する。そして、上記のように、送信側絶縁部位６２１Ｂおよび受信側絶縁部位７２１Ｂは係合力が強く、送信側導電部位６２２Ｂおよび受信側導電部位７２２Ｂは導通を好適にとることに有効な構成である。これにより、測定装置１Ｂと受信装置９Ｂとの係合を強固にするとともに、測定装置１Ｂと受信装置９Ｂとの導通を確実に行うことができる。
【０１３９】
また、送信側絶縁部位６２１Ｂの形状は、図５に示す形状に限定されず、任意である。例えば、送信側絶縁部位６２１Ｂの形状は、図６中左側に示すような、マッシュルーム形の送信側絶縁部位６２１ａであってもよいし、図６中右側に示すような、矢尻形をなす送信側絶縁部位６２１ｂであってもよい。このように、送信側絶縁部位６２１Ｂが、送信側支持部６１から突出していて、先端部の幅が基端部の幅よりも大きく、先端部と基端部との間に段差を有する構成であってもよい。
【０１４０】
なお、送信側導電部位６２２Ｂ、受信側絶縁部位７２１Ｂおよび受信側導電部位７２２Ｂの各形状も、図５に示す形状に限定されず、任意である。
【０１４１】
以上、本発明の生体情報測定システム、測定装置および受信装置を図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成を組み合わせたものであってもよい。
【符号の説明】
【０１４２】
１…測定装置、１Ａ…測定装置、１Ｂ…測定装置、２…生体センサー、３…回路部、４…可撓性基板、５…ゲル、６…送信側ファスナー部、６Ａ…送信側ファスナー部、６Ｂ…送信側ファスナー部、７…受信側ファスナー部、７Ｂ…受信側ファスナー部、８…回路部、９…受信装置、９Ｂ…受信装置、２０…下部、２１…圧力センサー、２２…温度センサー、２３…臭覚センサー、２４…汗センサー、３１…制御部、３２…バッテリー、４１…基材、５０…下面、６１…送信側支持部、６２…送信係合部、６２Ａ…送信係合部、６２Ｂ…送信係合部、７１…受信側支持部、７２…受信係合部、７２Ｂ…受信係合部、８０…多層基板、８１…制御部、８２…バッテリー、８３…表示部、８４…無線通信部、８５…振動部、８６…音声発生部、８７…発光部、８８…報知部、１００…システム、３２１…電源回路、６２０…送信側係合部位、６２０Ａ…送信側係合部位、６２０Ｂ…送信側係合部位、６２１…送信側絶縁部位、６２１Ａ…送信側絶縁部位、６２１Ｂ…送信側絶縁部位、６２１ａ…送信側絶縁部位、６２１ｂ…送信側絶縁部位、６２２…送信側導電部位、６２２Ａ…送信側導電部位、６２２Ｂ…送信側導電部位、７２０…受信側係合部位、７２０Ｂ…受信側係合部位、７２１…受信側絶縁部位、７２１Ｂ…受信側絶縁部位、７２２…受信側導電部位、７２２Ｂ…受信側導電部位、８０１…配線、８２１…電源回路、８４１…アンテナ、８４２…通信回路、６２１０…絶縁部位群、６２２０…導電部位群、７２１０…絶縁部位群、７２２０…導電部位群、Ａ…手首、Ｈ…使用者
【図１】
2017176424.tif 000003
【図２】
2017176424.tif 000004
【図３】
2017176424.tif 000005
【図４】
2017176424.tif 000006
【図５】
2017176424.tif 000007
【図６】
2017176424.tif 000008